(57)【要約】【課題】感光ドラムの表面のフィルミングを抑制しつつ、現像ローラを用いて、残トナーを回収できる現像方法および画像形成装置を提供する。【解決手段】  現像方法は、現像ローラ８により、非磁性一成分系の負帯電性トナーを筐体７から感光ドラム４へ供給する工程（Ｓ１）と、転写ローラ９により、感光ドラム４の表面のトナーをシートＳへ転写する工程（Ｓ２）と、剥がしローラ２１により、感光ドラム４の表面に付いた残トナーＴを感光ドラム４の表面から剥がし、剥がした残トナーＴを感光ドラム４の表面に付ける工程（Ｓ４）と、帯電ローラ５により、残トナーＴが付いた感光ドラム４の表面を帯電させる工程（Ｓ５）と、現像ローラ８により、残トナーＴを筐体７へ回収する工程（Ｓ８）とを含む。【選択図】図３
2020160286.tif 000002
【特許請求の範囲】
【請求項１】
負の現像バイアスが印加された現像ローラにより、非磁性一成分系の負帯電性トナーを収容可能な筐体から、前記トナーを感光ドラムへ供給する工程と、
正の転写バイアスが印加された転写ローラにより、前記感光ドラムの表面の前記トナーを、シートへ転写する工程と、
前記感光ドラムの表面に付いた残トナーを、剥がしローラと前記感光ドラムとの周速差によって、前記感光ドラムの表面から剥がし、前記現像バイアスよりも絶対値が大きい負の剥がしローラバイアスであって前記剥がしローラに印加された剥がしローラバイアスにより、剥がした前記残トナーを負に帯電させて、帯電された前記残トナーを前記感光ドラムの表面に付ける工程と、
前記剥がしローラバイアスよりも絶対値が大きい負の帯電バイアスが印加された帯電ローラにより、前記残トナーが付いた前記感光ドラムの表面を負に帯電させる工程と、
前記現像バイアスが印加された前記現像ローラにより、前記残トナーを前記筐体へ回収する工程と
を含むことを特徴とする、現像方法。
【請求項２】
前記剥がしローラにより帯電された前記残トナーは、前記感光ドラムの表面との電位差により、前記感光ドラムの表面に付くことを特徴とする、請求項１に記載の現像方法。
【請求項３】
前記現像バイアスを前記現像ローラに印加した後、所定の第１時間が経過した後に、前記正の転写バイアスを前記転写ローラに印加するとともに、前記剥がしローラバイアスを前記剥がしローラに印加する工程と、
前記帯電バイアスを前記帯電ローラに印加した後、所定の第２時間が経過した後に、前記現像バイアスを前記現像ローラに印加する工程と
をさらに含むことを特徴とする、請求項１または請求項２に記載の現像方法。
【請求項４】
前記現像ローラによって前記トナーが前記感光ドラムに供給される前に、前記帯電ローラによって帯電された前記感光ドラムの表面を露光することにより、前記感光ドラムの表面に静電潜像を形成する工程を、さらに含むことを特徴とする、請求項１から請求項３のいずれか一項に記載の現像方法。
【請求項５】
非磁性一成分系の負帯電性トナーを収容可能な筐体と、
前記トナーで作られたトナー像が表面に形成される感光ドラムと、
負の現像バイアスが印加され、前記筐体内の前記トナーを前記感光ドラムの表面に供給可能な現像ローラと、
正の転写バイアスが印加され、前記感光ドラムの表面からシートに前記トナー像を転写可能な転写ローラと、
前記現像バイアスよりも絶対値が大きい負の剥がしローラバイアスが印加される剥がしローラであって、前記シートに転写されずに前記感光ドラムの表面に残った残トナーを、前記剥がしローラと前記感光ドラムとの周速差によって、前記感光ドラムの表面から剥がすことが可能な剥がしローラであり、剥がした残トナーを前記剥がしローラバイアスにより負に帯電させて、帯電された前記残トナーを前記感光ドラムの表面に付ける剥がしローラと、
前記剥がしローラバイアスよりも絶対値が大きい負の帯電バイアスが印加される帯電ローラであって、前記残トナーが付いた前記感光ドラムの表面を負に帯電させる帯電ローラと
を備え、
前記現像バイアスが印加される前記現像ローラにより、前記残トナーを前記筐体に回収することを特徴とする、画像形成装置。
【請求項６】
前記画像形成装置は、さらに、制御部を備え、
前記制御部は、
前記現像バイアスを前記現像ローラに印加した後、所定の第１時間が経過した後に、前記正の転写バイアスを前記転写ローラに印加するとともに、前記剥がしローラバイアスを前記剥がしローラに印加し、
前記帯電バイアスを前記帯電ローラに印加した後、所定の第１時間が経過した後に、前記現像バイアスを前記現像ローラに印加することを特徴とする、請求項５に記載の画像形成装置。
【請求項７】
前記現像ローラによって前記トナーが前記感光ドラムに供給される前に、前記帯電ローラによって帯電された前記感光ドラムの表面を露光することにより、前記感光ドラムの表面に静電潜像を形成する露光装置を、さらに備えることを特徴とする、請求項５または請求項６に記載の画像形成装置。
【請求項８】
前記画像形成装置は、さらに、前記帯電ローラをクリーニングする帯電クリーニングローラを備えることを特徴とする、請求項５から請求項７のいずれか一項に記載の画像形成装置。
【請求項９】
前記帯電クリーニングローラは、前記帯電ローラと従動し、
前記帯電クリーニングローラには、前記帯電バイアス以下の絶対値を有する負のクリーニングバイアスが印加されることを特徴とする、請求項８に記載の画像形成装置。
【請求項１０】
前記画像形成装置は、さらに、前記帯電クリーニングローラと接触し、前記帯電クリーニングローラに付いた紙粉を回収するクリーナー部材を備えることを特徴とする、請求項８に記載の画像形成装置。
【請求項１１】
前記帯電クリーニングローラの周速と前記帯電ローラの周速とは異なり、
前記帯電クリーニングローラには、前記帯電バイアスよりも絶対値が小さい負の第１クリーニングバイアスが印加され、
前記クリーナー部材には、前記第１クリーニングバイアスよりも絶対値が小さい負の第２クリーニングバイアスが印加されることを特徴とする、請求項１０に記載の画像形成装置。
【請求項１２】
前記画像形成装置は、
前記感光ドラムと、前記帯電ローラと、前記剥がしローラとを備えるドラムカートリッジと、
前記ドラムカートリッジに装着可能な現像カートリッジであって、前記筐体と前記現像ローラとを備える現像カートリッジとを備えることを特徴とする、請求項５から請求項１１のいずれか一項に記載の画像形成装置。
【請求項１３】
前記ドラムカートリッジは、さらに、前記転写ローラを備えることを特徴とする、請求項１２に記載の画像形成装置。
【発明の詳細な説明】
【技術分野】
【０００１】
本開示は、現像方法および画像形成装置に関する。
【背景技術】
【０００２】
従来、負帯電性のトナーを用いた、いわゆるクリーナレスの現像方法が、知られている。クリーナレスの現像方法は、現像ローラにより、トナーを筐体から感光ドラムへ供給する工程と、転写ローラにより、感光ドラムの表面のトナーをシートへ転写する工程と、帯電ローラにより、残トナーが付いた感光ドラムの表面を帯電させる工程と、現像ローラにより、残トナーを筐体へ回収する工程とを含む（下記特許文献１参照）。
【先行技術文献】
【特許文献】
【０００３】
【特許文献１】特開２００６−１１１３７号公報
【発明の概要】
【発明が解決しようとする課題】
【０００４】
上記した特許文献１に記載されるような現像方法では、印刷枚数が増加するに従って、感光ドラムの表面にフィルミングが発生する可能性がある。感光ドラムの表面にフィルミングが発生すると、画質が低下する可能性がある。
【０００５】
そこで、本開示の目的は、感光ドラムの表面のフィルミングを抑制しつつ、現像ローラを用いて、残トナーを回収できる現像方法および画像形成装置を提供することにある。
【課題を解決するための手段】
【０００６】
（１）本開示の現像方法は、負の現像バイアスが印加された現像ローラにより、非磁性一成分系の負帯電性トナーを収容可能な筐体から、トナーを感光ドラムへ供給する工程と、正の転写バイアスが印加された転写ローラにより、感光ドラムの表面のトナーを、シートへ転写する工程と、感光ドラムの表面に付いた残トナーを、剥がしローラと感光ドラムとの周速差によって、感光ドラムの表面から剥がし、現像バイアスよりも絶対値が大きい負の剥がしローラバイアスであって剥がしローラに印加された剥がしローラバイアスにより、剥がした残トナーを負に帯電させて、帯電された残トナーを感光ドラムの表面に付ける工程と、剥がしローラバイアスよりも絶対値が大きい負の帯電バイアスが印加された帯電ローラにより、残トナーが付いた感光ドラムの表面を負に帯電させる工程と、現像バイアスが印加された現像ローラにより、残トナーを筐体へ回収する工程とを含む。
【０００７】
このような方法によれば、感光ドラムの表面に付いた残トナーを、剥がしローラによって、感光ドラムの表面から剥がす。
【０００８】
これにより、感光ドラムの表面のフィルミングを抑制できる。
【０００９】
そして、感光ドラムの表面から剥がした残トナーを、剥がしローラによって帯電させることにより、感光ドラムの表面に付けて、現像ローラによって筐体内に回収する。
【００１０】
そのため、残トナーを回収するための容器を別途設ける必要がない。
【００１１】
総括すると、感光ドラムの表面のフィルミングを抑制しつつ、現像ローラを用いて、残トナーを回収できる。
【００１２】
（２）剥がしローラにより帯電された残トナーは、感光ドラムの表面との電位差により、感光ドラムの表面に付く。
【００１３】
（３）現像方法は、現像バイアスを現像ローラに印加した後、所定の第１時間が経過した後に、正の転写バイアスを転写ローラに印加するとともに、剥がしローラバイアスを剥がしローラに印加する工程と、帯電バイアスを帯電ローラに印加した後、所定の第２時間が経過した後に、現像バイアスを現像ローラに印加する工程と、をさらに含んでもよい。
【００１４】
（４）現像方法は、現像ローラによってトナーが感光ドラムに供給される前に、帯電ローラによって帯電された感光ドラムの表面を露光することにより、感光ドラムの表面に静電潜像を形成する工程を、さらに含んでもよい。
【００１５】
（５）本開示の画像形成装置は、筐体と、感光ドラムと、現像ローラと、転写ローラと、剥がしローラと、帯電ローラとを備える。筐体は、非磁性一成分系の負帯電性トナーを収容可能である。トナーで作られたトナー像は、感光ドラムの表面に形成される。現像ローラには、負の現像バイアスが、印加される。現像ローラは、筐体内のトナーを感光ドラムの表面に供給可能である。転写ローラは、正の転写バイアスが印加される。転写ローラは、感光ドラムの表面からシートにトナー像を転写可能である。剥がしローラには、現像バイアスよりも絶対値が大きい負の剥がしローラバイアスが印加される。剥がしローラは、シートに転写されずに感光ドラムの表面に残った残トナーを、剥がしローラと感光ドラムとの周速差によって、感光ドラムの表面から剥がすことが可能である。剥がしローラは、剥がした残トナーを剥がしローラバイアスにより負に帯電させて、帯電した残トナーを感光ドラムの表面に付ける。帯電ローラには、剥がしローラバイアスよりも絶対値が大きい負の帯電バイアスが、印加される。帯電ローラは、残トナーが付いた感光ドラムの表面を負に帯電させる。
【００１６】
画像形成装置は、現像バイアスが印加される現像ローラにより、残トナーを筐体に回収する。
【００１７】
（６）画像形成装置は、さらに、制御部を備えてもよい。制御部は、現像バイアスを現像ローラに印加した後、所定の第１時間が経過した後に、正の転写バイアスを転写ローラに印加するとともに、剥がしローラバイアスを剥がしローラに印加する。制御部は、帯電バイアスを帯電ローラに印加した後、所定の第２時間が経過した後に、現像バイアスを現像ローラに印加する。
【００１８】
（７）画像形成装置は、さらに、露光装置を備えてもよい。露光装置は、現像ローラによってトナーが感光ドラムに供給される前に、帯電ローラによって帯電された感光ドラムの表面を露光することにより、感光ドラムの表面に静電潜像を形成する。
【００１９】
（８）画像形成装置は、さらに、帯電クリーニングローラを備えてもよい。帯電クリーニングローラは、帯電ローラをクリーニングする。
【００２０】
（９）帯電クリーニングローラは、帯電ローラと従動してもよい。帯電クリーニングローラには、帯電バイアス以下の絶対値を有する負のクリーニングバイアスが印加されてもよい。
【００２１】
（１０）画像形成装置は、さらに、クリーナー部材を備えてもよい。クリーナー部材は、帯電クリーニングローラと接触し、帯電クリーニングローラに付いた紙粉を回収する。
【００２２】
（１１）帯電クリーニングローラの周速と帯電ローラの周速とは異なってもよい。帯電クリーニングローラには、帯電バイアスよりも絶対値が小さい負の第１クリーニングバイアスが印加されてもよい。クリーナー部材には、第１クリーニングバイアスよりも絶対値が小さい負の第２クリーニングバイアスが印加されてもよい。
【００２３】
（１２）画像形成装置は、ドラムカートリッジと、現像カートリッジとを備えてもよい。ドラムカートリッジは、感光ドラムと、帯電ローラと、剥がしローラとを備える。現像カートリッジは、ドラムカートリッジに装着可能である。現像カートリッジは、筐体と現像ローラとを備える。
【００２４】
（１３）ドラムカートリッジは、さらに、転写ローラを備えてもよい。
【発明の効果】
【００２５】
本開示の現像方法および画像形成装置によれば、感光ドラムの表面のフィルミングを抑制しつつ、現像ローラを用いて、残トナーを回収できる。
【図面の簡単な説明】
【００２６】
【図１】図１は、画像形成装置の概略構成図である。
【図２】図２は、帯電ローラ、現像ローラ、転写ローラおよび剥がしローラのそれぞれと制御部との電気的な接続を説明する説明図である。
【図３】図３は、現像方法を説明するためのフローチャートである。
【図４】図４Ａは、図３の現像工程を説明するための説明図である。図４Ｂは、図３の転写工程を説明するための説明図である。
【図５】図５Ａは、図３の剥がし工程を説明するための説明図である。図５Ｂは、図３の帯電工程を説明するための説明図である。
【図６】図６Ａは、図３の露光工程を説明するための説明図である。図６Ｂは、図３の回収工程を説明するための説明図である。
【図７】図７は、帯電ローラに帯電バイアスを印加するタイミング、現像ローラに現像バイアスを印加するタイミング、転写ローラに転写バイアスを印加するタイミングおよび剥がしローラに剥がしローラバイアスを印加するタイミングを説明するためのタイミングチャートである。
【図８】図８は、変形例を説明するための説明図である。
【発明を実施するための形態】
【００２７】
１．画像形成装置１の概略
図１を参照して、画像形成装置１の概略について説明する。
【００２８】
画像形成装置１は、本体筐体２と、シート供給部３と、感光ドラム４と、帯電ローラ５と、露光装置６と、筐体７と、現像ローラ８と、転写ローラ９と、定着装置１０とを備える。なお、本実施形態では、画像形成装置１は、ドラムカートリッジ１１Ａと、現像カートリッジ１１Ｂとを備える。ドラムカートリッジ１１Ａは、感光ドラム４と、帯電ローラ５と、転写ローラ９とを備える。現像カートリッジ１１Ｂは、ドラムカートリッジ１１Ａに装着可能である。現像カートリッジ１１Ｂは、筐体７と、現像ローラ８とを備える。
【００２９】
１．１  本体筐体２
本体筐体２は、シート供給部３と、感光ドラム４と、帯電ローラ５と、露光装置６と、筐体７と、現像ローラ８と、転写ローラ９と、定着装置１０とを収容する。
【００３０】
１．２  シート供給部３
シート供給部３は、感光ドラム４にシートＳを供給する。感光ドラム４については後述する。シート供給部３は、シートカセット１２と、ピックアップローラ１３と、搬送ローラ１４とを備える。シートカセット１２は、シートＳを収容する。シートＳは、例えば、印刷用紙である。ピックアップローラ１３は、シートカセット１２内のシートＳをピックアップして、ピックアップしたシートＳを搬送ローラ１４に向かって搬送する。搬送ローラ１４は、ピックアップローラ１３からのシートＳを感光ドラム４に向かって搬送する。
【００３１】
１．３  感光ドラム４
感光ドラム４は、軸Ａについて回転可能である。軸Ａは、第１方向に延びる。感光ドラム４は、軸Ａに沿って第１方向に延びる。感光ドラム４は、円筒形状を有する。
【００３２】
１．４  帯電ローラ５
帯電ローラ５は、感光ドラム４に対して、転写ローラ９の反対側に位置する。帯電ローラ５は、感光ドラム４の表面に接触する。帯電ローラ５には、負の帯電バイアスが印加される。負の帯電バイアスが印加された帯電ローラ５は、感光ドラム４の表面を負に帯電させる。
【００３３】
１．５  露光装置６
露光装置６は、帯電ローラ５によって帯電された感光ドラム４の表面を露光することにより、感光ドラム４の表面に静電潜像を形成する。
【００３４】
１．７  筐体７
筐体７は、非磁性一成分系の負帯電性トナーを収容可能である。
【００３５】
１．８  現像ローラ８
現像ローラ８は、筐体７内のトナーを感光ドラム４の表面に供給可能である。現像ローラ８は、筐体７に支持される。現像ローラ８は、感光ドラム４に接触する。現像ローラ８には、負の現像バイアスが、印加される。現像ローラ８は、第１方向に延びる軸について回転可能である。現像ローラ８によって筐体７内のトナーが感光ドラム４の表面に供給されることにより、感光ドラム４の表面に、トナーで作られたトナー像が形成される。
【００３６】
１．９  転写ローラ９
転写ローラ９は、感光ドラム４に接触する。転写ローラ９には、正の転写バイアスが印加される。シート供給部３からのシートＳは、感光ドラム４と転写ローラ９との間を通る。このとき、転写ローラ９は、転写バイアスにより、感光ドラム４の表面からシートＳにトナー像を転写可能である。
【００３７】
１．１０  定着装置１０
定着装置１０は、トナー像が転写されたシートＳを加熱および加圧して、シートＳにトナー像を定着させる。定着装置１０を通過したシートＳは、本体筐体２の上面に排出される。
【００３８】
２．画像形成装置の詳細
次に、図２を参照して、画像形成装置１の詳細について説明する。
【００３９】
図２に示すように、画像形成装置１は、さらに、剥がしローラ２１と、帯電クリーニングローラ２２と、制御部２３とを備える。
【００４０】
２．１  剥がしローラ２１
剥がしローラ２１は、ドラムカートリッジ１１Ａ（図１参照）に備えられる。剥がしローラ２１は、感光ドラム４の表面と接触する。剥がしローラ２１は、第１方向に延びる軸について回転可能である。剥がしローラ２１は、軸に沿って第１方向に延びる。剥がしローラ２１は、例えば、シリコーン樹脂のスポンジから作られる。
【００４１】
２．３  帯電クリーニングローラ２２
帯電クリーニングローラ２２は、帯電ローラ５と接触する。帯電クリーニングローラ２２は、第１方向に延びる。帯電クリーニングローラ２２は、第１方向に延びる軸について回転可能である。
【００４２】
帯電クリーニングローラ２２は、帯電ローラ５と従動する。そのため、帯電ローラ５の周速は、感光ドラム４の周速と、ほぼ同じである。好ましくは、帯電ローラ５の周速は、感光ドラム４の周速と同じである。
【００４３】
また、帯電クリーニングローラ２２には、帯電バイアス以下の絶対値を有する負のクリーニングバイアスが印加される。帯電ローラ５に付いた残トナーは、クリーニングバイアスにより、帯電ローラ５から帯電クリーニングローラ２２に付く。これにより、帯電クリーニングローラ２２は、帯電ローラ５をクリーニングする。
【００４４】
２．４  制御部２３
制御部２３は、例えば、特定用途向け集積回路（ＡＳＩＣ）を有する。なお、制御部２３は、中央演算処理装置（ＣＰＵ）を有してもよい。制御部２３は、帯電ローラ５、現像ローラ８、転写ローラ９および剥がしローラ２１と電気的に接続する。制御部２３は、帯電バイアス、現像バイアス、転写バイアスおよび剥がしローラバイアスを制御する。
【００４５】
３．現像方法
次に、図３から図７を参照して、現像方法について説明する。
【００４６】
図３に示すように、現像方法は、工程（Ｓ１）から工程（Ｓ８）を含む。
【００４７】
３．１  現像工程（Ｓ１）
まず、画像形成装置１は、図３に示すように、工程（Ｓ１）を実行する。画像形成装置１は、工程（Ｓ１）において、現像ローラ８により、筐体７から、トナーを感光ドラム４へ供給する。詳しくは、図７に示すように、制御部２３（図２参照）は、時点ｔ１において、現像ローラ８に現像バイアスを印加する。すると、図４Ａに示すように、筐体７内のトナーは、上記したように、現像ローラ８により、静電潜像が形成された感光ドラム４の表面に供給される。これにより、感光ドラム４の表面にトナー像が形成される。
【００４８】
３．２  転写工程（Ｓ２）
次に、画像形成装置１は、図３に示すように、工程（Ｓ２）を実行する。画像形成装置１は、工程（Ｓ２）において、転写ローラ９により、感光ドラム４の表面のトナーを、シートＳへ転写する。詳しくは、制御部２３は、図７に示すように、現像バイアスを現像ローラ８に印加した後、所定の第１時間Ｔ１が経過した後に、時点ｔ２において、転写バイアスを転写ローラ９に印加する。第１時間Ｔ１は、感光ドラム４の表面のうちの現像ローラ８と接触した部分が、転写ローラ９に到達するまでの時間である。すると、図４Ｂに示すように、感光ドラム４の表面のトナーは、転写バイアスにより、感光ドラム４の表面からシートＳに転写される。このとき、感光ドラム４の表面のトナーの一部は、シートＳに転写されずに感光ドラム４の表面に残る。シートＳに転写されずに感光ドラム４の表面に残ったトナーが、残トナーＴである。
【００４９】
３．３  剥がしローラバイアスを印加する工程（Ｓ３）
また、画像形成装置１は、図３に示すように、工程（Ｓ３）を実行する。画像形成装置１は、工程（Ｓ３）において、剥がしローラバイアスを、剥がしローラ２１に印加する。剥がしローラ２１には、負の剥がしローラバイアスが印加される。詳しくは、工程（Ｓ３）において、制御部２３は、図７に示すように、現像バイアスを現像ローラ８に印加した後、所定の第１時間Ｔ１が経過した後に、時点ｔ２において、剥がしローラバイアスを剥がしローラ２１に印加する。なお、工程（Ｓ３）は、工程（Ｓ２）と同時に実行してもよく、工程（Ｓ３）は、工程（Ｓ２）の後に実行してもよい。
【００５０】
剥がしローラバイアスの絶対値は、帯電バイアスよりも小さく、現像バイアスよりも大きい。剥がしローラバイアスの絶対値と帯電バイアスの絶対値との差は、例えば、５５０Ｖ以上、７００Ｖ以下である。剥がしローラバイアスの絶対値と現像バイアスの絶対値との差は、例えば、１００Ｖ以上、２５０Ｖ以下である。
【００５１】
なお、剥がしローラバイアスは、好ましくは、剥がしローラ２１と感光ドラム４との間で放電を発生可能なバイアスである。このような剥がしローラバイアスであると、残トナーを、より確実に、負に帯電させることができる。
【００５２】
３．４  剥がし工程（Ｓ４）
次に、画像形成装置１は、図３に示すように、工程（Ｓ４）を実行する。画像形成装置１は、図５Ａに示すように、工程（Ｓ４）において、剥がしローラ２１により、感光ドラム４の表面に付いた残トナーを感光ドラム４の表面から剥がし、剥がした残トナーを負に帯電させる。詳しくは、剥がしローラ２１は、剥がしローラ２１と感光ドラム４との周速差によって、残トナーＴを、感光ドラム４の表面から剥がすことが可能である。剥がしローラ２１の周速は、感光ドラム４の周速と異なる。これにより、剥がしローラ２１は、感光ドラム４の表面を擦る。剥がしローラ２１は、感光ドラム４を擦ることにより、残トナーＴを、感光ドラム４の表面から剥がす。
【００５３】
そして、剥がしローラ２１は、剥がしローラバイアスによって、剥がした残トナーＴを負に帯電させて、帯電された残トナーＴを感光ドラム４の表面に付ける。詳しくは、剥がしローラ２１により感光ドラム４の表面から剥がされた残トナーＴは、剥がしローラバイアスにより、負に帯電する。剥がしローラ２１により帯電された残トナーＴは、感光ドラム４の表面との電位差により、感光ドラム４の表面に付く。
【００５４】
３．５  帯電工程（Ｓ５）
次に、画像形成装置１は、図３に示すように、工程（Ｓ５）を実行する。画像形成装置１は、工程（Ｓ５）において、図５Ｂに示すように、帯電ローラ５により、残トナーが付いた感光ドラム４の表面を負に帯電させる。詳しくは、図７に示すように、制御部２３は、時点ｔ３において、帯電ローラ５に負の帯電バイアスを印加する。帯電バイアスの絶対値は、剥がしローラバイアスの絶対値よりも大きい。すると、感光ドラム４の表面は、帯電ローラ５によって負に帯電する。
【００５５】
３．６  露光工程（Ｓ６）
次に、画像形成装置１は、図３に示すように、工程（Ｓ６）を実行する。画像形成装置１は、工程（Ｓ６）において、図６Ａに示すように、露光装置６により、現像ローラ８によってトナーが感光ドラム４に供給される前に、帯電ローラ５によって帯電された感光ドラム４の表面を露光する。これにより、感光ドラム４の表面に静電潜像が形成される。
【００５６】
３．７  現像バイアスを印加する工程（Ｓ７）
次に、画像形成装置１は、図３に示すように、工程（Ｓ７）を実行する。画像形成装置１は、工程（Ｓ７）において、現像バイアスを現像ローラ８に印加する。詳しくは、図７に示すように、制御部２３は、帯電バイアスを帯電ローラ５に印加した後、所定の第２時間Ｔ２が経過した後に、時点ｔ４において、現像バイアスを現像ローラ８に印加する。第２時間Ｔ２は、感光ドラム４の表面のうちの帯電ローラ５と接触した部分が、現像ローラ８に到達するまでの時間である。
【００５７】
３．８  回収工程（Ｓ８）
次に、画像形成装置１は、図３に示すように、工程（Ｓ８）を実行する。画像形成装置１は、図６Ｂに示すように、工程（Ｓ８）において、現像バイアスが印加された現像ローラ８により、残トナーを筐体７（図１参照）へ回収する。
【００５８】
なお、工程（Ｓ８）は、次の印刷における工程（Ｓ１）と同時に実行されてもよい。詳しくは、現像ローラ８は、感光ドラム４の表面のうちの静電潜像が形成された領域に筐体７内のトナーを供給する（Ｓ１）とともに、感光ドラム４の表面のうちの静電潜像が形成されていない領域に付着した残トナーを、筐体７へ回収する（Ｓ８）。なお、感光ドラム４の表面のうちの静電潜像が形成された領域に付いていたいた残トナーは、筐体７から供給されたトナーとともに、次の印刷に使用される。
【００５９】
４．作用効果
この現像方法によれば、図５Ａに示すように、感光ドラム４の表面に付いた残トナーを、剥がしローラ２１によって、感光ドラム４の表面から剥がす。
【００６０】
これにより、感光ドラム４の表面のフィルミングを抑制できる。
【００６１】
そして、感光ドラム４の表面から剥がした残トナーを、剥がしローラ２１によって帯電させることにより、感光ドラム４の表面に付けて、図６Ｂに示すように、現像ローラ８によって筐体７内に回収する。
【００６２】
そのため、残トナーを回収するための容器を別途設ける必要がない。
【００６３】
総括すると、感光ドラム４の表面のフィルミングを抑制しつつ、現像ローラ８を用いて、残トナーを回収できる。
【００６４】
５．変形例
図８に示すように、ドラムカートリッジ１１Ａは、クリーニングローラ３０を備えてもよい。クリーニングローラ３０は、帯電クリーニングローラ２２と接触する。クリーニングローラ３０は、第１方向に延びる軸について回転可能である。クリーニングローラ３０は、軸に沿って第１方向に延びる。クリーニングローラ３０は、周面に、螺旋形状の溝を有する。クリーニングローラ３０は、帯電クリーニングローラ２２に付いた紙粉を回収する。
【００６５】
この場合、帯電クリーニングローラ２２の周速と帯電ローラ５の周速とは異なる。帯電クリーニングローラ２２には、帯電バイアスよりも絶対値が小さい負の第１クリーニングバイアスが印加される。また、クリーニングローラ３０には、第１クリーニングバイアスよりも絶対値が小さい負の第２クリーニングバイアスが印加される。クリーニングローラ３０は、クリーナー部材の一例である。なお、クリーナー部材は、クリーニングブレードであってもよい。
【００６６】
また、画像形成装置１は、現像カートリッジ１１Ｂに装着可能なトナーカートリッジを備えてもよい。詳しくは、現像カートリッジ１１Ｂは、上記した筐体７と現像ローラ８とを備える。トナーカートリッジは、現像カートリッジ１１Ｂの筐体７に装着可能である。トナーカートリッジは、筐体７に供給されるトナーを収容する。
【００６７】
また、ドラムカートリッジ１１Ａは、感光ドラム４と、帯電ローラ５と、現像器と、転写ローラ９とを備えてもよい。現像器は、筐体７と、現像ローラ８とを備える。この場合、画像形成装置１は、ドラムカートリッジ１１Ａに装着可能なトナーカートリッジを備えてもよい。
【００６８】
また、画像形成装置１は、ドラムユニットと現像器とを一体として備えるカートリッジを備えてもよい。ドラムユニットは、感光ドラム４と、帯電ローラ５と、転写ローラ９とを備える。現像器は、筐体７と、現像ローラ８とを備える。
【符号の説明】
【００６９】
１        画像形成装置
４        感光ドラム
５        帯電ローラ
６        露光装置
７        筐体
８        現像ローラ
９        転写ローラ
１１Ａ    ドラムカートリッジ
１１Ｂ    現像カートリッジ
２１      剥がしローラ
２２      帯電クリーニングローラ
２３      制御部
３０      クリーニングローラ
Ｓ        シート
Ｓ１      現像工程
Ｓ２      転写工程
Ｓ３      剥がしローラバイアスを印加する工程
Ｓ４      剥がし工程
Ｓ５      帯電工程
Ｓ６      露光工程
Ｓ７      現像バイアスを印加する工程
Ｓ８      回収工程
Ｔ        残トナー
Ｔ１      第１時間
Ｔ２      第２時間
【図１】
2020160286.tif 000003
【図２】
2020160286.tif 000004
【図３】
2020160286.tif 000005
【図４】
2020160286.tif 000006
【図５】
2020160286.tif 000007
【図６】
2020160286.tif 000008
【図７】
2020160286.tif 000009
【図８】
2020160286.tif 000010